(57)【特許請求の範囲】
【請求項１】
ブッシングの課電用ケーブル接続口の清掃作業に際し、前記ブッシングに着脱可能に固定され、ブッシングの断路機能部を構成するケーブル側内部電極を接地する清掃時接地治具であって、
前記ブッシングの課電用ケーブル接続口に挿入されて前記ケーブル側内部電極に電気的に接触するカップ状部又は円筒状部と、前記カップ状部又は前記円筒状部をその先端に有する細径棒状部とを備えることを特徴とする清掃時接地治具。
【請求項２】
前記カップ状部又は前記円筒状部は、前記ケーブル側内部電極と断路用絶縁スペーサ又は接続導体との間に嵌合され、その外周面が前記ケーブル側内部電極に電気的に接触する形状であることを特徴とする請求項１に記載の清掃時設置治具。
【請求項３】
前記細径棒状部は、その後端に接地線が接続されることを特徴とする請求項１又は請求項２に記載の清掃時接地治具。
【請求項４】
請求項１〜３のいずれか１項に記載の清掃時接地治具を前記ブッシングの課電用ケーブル接続口に挿入し、前記ブッシングに固定して、前記カップ状部又は前記円筒状部を前記ケーブル側内部電極に電気的に接触させて接地をとった後、前記課電用ケーブル接続口の清掃作業を行ない、その後、前記清掃時接地治具を取り外す工程を有することを特徴とするブッシングへの課電用ケーブルの取り付け方法。
【請求項５】
請求項１〜３のいずれか１項に記載の清掃時接地治具を前記ブッシングの課電用ケーブル接続口に挿入し、前記ブッシングに固定して、前記カップ状部又は前記円筒状部を前記ケーブル側内部電極に電気的に接触させて接地をとった後、前記課電用ケーブル接続口の清掃作業を行ない、その後、前記清掃時接地治具を取り外す工程を有することを特徴とするブッシングからの課電用ケーブルの取り外し方法。
【発明の詳細な説明】
【技術分野】
【０００１】
本発明は、課電用ケーブルの取り付け及び取り外し作業を安全に行うことを可能とする清掃時接地治具及び清掃時接地治具を用いた課電用ケーブルの取り付け方法と取り外し方法に関する。
【背景技術】
【０００２】
ＧＩＳ（ガス絶縁開閉装置）のような密閉型の高電圧機器と、その高電圧機器に給電を行なう電力ケーブル（以下、給電用ケーブルという。）とを接続するために、密閉型高電圧機器の壁面等を貫通するブッシングが使用されている。
【０００３】
また、ブッシングに接続された給電用ケーブルに対する課電試験を行なうための断路機能を内部に備えたブッシングが使用されている（例えば、特許文献１参照）。
【０００４】
特許文献１に記載のブッシングは、図２に示されるように、分岐形状を有しており、高電圧機器の下部壁面２０に気密に取り付けられている。当該ブッシング１０には、下向きに給電用ケーブルの接続口１２、斜め下向きに課電用ケーブルの接続口１３が設けられている。
【０００５】
また、当該ブッシング１０は、ブッシング本体１１がエポキシ樹脂等の絶縁体からなるモールド体であり、その内部に高電圧機器の内部機器に電気的に接続される機器側内部電極１４と、給電用ケーブル３０及び課電用ケーブル４０（図６参照）が接続されるケーブル側内部電極１５とを備えている。
【０００６】
機器側内部電極１４とケーブル側内部電極１５とは、接続導体５０により連結されている。この接続導体５０は、課電用ケーブルの接続口１３より抜き差し可能とされている。
【０００７】
通常の運転（使用）状態においては、給電用ケーブルの接続口１２には、ケーブル線路からの給電用ケーブル３０が接続され、課電用ケーブルの接続口１３は、接続導体５０を差し込んだ状態で絶縁栓６０により封止される。
【０００８】
一方、給電用ケーブル３０に対し高電圧を加えて課電試験を行なう場合には、課電用ケーブル４０の端末が課電用ケーブルの接続口１３に装着される。この場合には、接続導体５０と絶縁栓６０は、課電用ケーブルの接続口１３より除去され、接続導体５０の替わりに接続導体５０と同等形状の断路用絶縁スペーサ８０（図４参照）が装着され、機器側内部電極１４とケーブル側内部電極１５が電気的に分離される。
【０００９】
このようなブッシング１０において、接続導体５０及び断路用絶縁スペーサ８０の抜き差しを行なう道具として特許文献２や特許文献３に記載されているような、締め付けシャフトと引き抜きシャフトとを同軸に配した操作具が用いられている。
【特許文献１】特開平９−８４２４５号公報
【特許文献２】特開平５−３２５６８７号公報
【特許文献３】特開平８−３３１４７号公報
【発明の開示】
【発明が解決しようとする課題】
【００１０】
上述のように、給電用ケーブルに対し課電試験を行なう前、及び課電試験の終了後には、接続導体と断路用絶縁スペーサを交換する作業が必要であるが、この作業の際、ケーブル側内部電極について安全上の問題が生じる場合がある。安全上の問題が生じるのは、ケーブル側内部電極に接続されている給電用ケーブルが、別の活線状態のケーブルと隣接して布設されている場合には、給電用ケーブルと活線状態のケーブルとの相互誘導により、ケーブル側内部電極に高電圧が誘起される場合が生じるためである。
【００１１】
一方、特許文献３記載の操作具は、接地電極及びこれに接続されて接地されるリード線を備えているが、接続導体と断路用絶縁スペーサとの交換作業中、常時、ケーブル側内部電極の接地を可能とするものではない。当時の抜き差し作業時には隣接ケーブルが活線状態であることはなく、安全上の問題は生じなかったので、常時接地の要請が無かったためである。
【００１２】
また、課電用ケーブルや絶縁栓を取り付ける作業直前に、課電用ケーブルの接続口におけるこれらの取り付け面（外部界面１７（図５参照））の清掃作業を行なうことが望ましいが、上述の安全上の問題が生じる場合がある。
【００１３】
従って、本発明の目的は、課電用ケーブルの取り付け及び取り外し作業における所定作業中、常時、ケーブル側内部電極の接地を可能とし、安全に作業を行えるようにする清掃時接地治具及び清掃時接地治具を用いた課電用ケーブルの取り付け方法と取り外し方法を提供することにある。
【課題を解決するための手段】
【００１４】
本発明は、上記目的を達成するため、ブッシングの課電用ケーブル接続口の清掃作業に際し、前記ブッシングに着脱可能に固定され、ブッシングの断路機能部を構成するケーブル側内部電極を接地する清掃時接地治具であって、前記ブッシングの課電用ケーブル接続口に挿入されて前記ケーブル側内部電極に電気的に接触するカップ状部又は円筒状部と、前記カップ状部又は前記円筒状部をその先端に有する細径棒状部とを備えることを特徴とする清掃時接地治具を提供する。
【００１５】
また、本発明は、上記目的を達成するため、上記本発明の清掃時接地治具を前記ブッシングの課電用ケーブル接続口に挿入し、前記ブッシングに固定して、前記カップ状部又は前記円筒状部を前記ケーブル側内部電極に電気的に接触させて接地をとった後、前記課電用ケーブル接続口の清掃作業を行ない、その後、前記清掃時接地治具を取り外す工程を有することを特徴とするブッシングへの課電用ケーブルの取り付け方法を提供する。
【００１６】
また、本発明は、上記目的を達成するため、上記本発明の清掃時接地治具を前記ブッシングの課電用ケーブル接続口に挿入し、前記ブッシングに固定して、前記カップ状部又は前記円筒状部を前記ケーブル側内部電極に電気的に接触させて接地をとった後、前記課電用ケーブル接続口の清掃作業を行ない、その後、前記清掃時接地治具を取り外す工程を有することを特徴とするブッシングからの課電用ケーブルの取り外し方法を提供する。
【発明の効果】
【００１７】
本発明によれば、課電用ケーブルの取り付け及び取り外し作業における所定作業中、常時、ケーブル側内部電極の接地を可能とし、安全に作業を行えるようにする清掃時接地治具及び清掃時接地治具を用いた課電用ケーブルの取り付け方法と取り外し方法を提供できる。
【発明を実施するための最良の形態】
【００１８】
図１は、（ａ）が課電用ケーブルの取り付け作業手順の概略、（ｂ）が課電用ケーブルの取り外し作業手順の概略を示す図である。また、図２は、通常運転時のブッシングの状態を示す縦断面図であり、図３は、接地用アダプタ装着時のブッシングの状態を示す縦断面図であり、図４は、接続部材交換時のブッシングの状態を示す縦断面図であり、図５は、清掃時接地治具装着時のブッシングの状態を示す縦断面図であり、図６は、課電用ケーブル装着時のブッシングの状態を示す縦断面図である。
【００１９】
図１〜図６に基づき、本発明の実施の形態に係る課電用ケーブルの取り付け方法及び取り外し方法を以下に説明する。
【００２０】
〔課電用ケーブルの取り付け方法〕
課電用ケーブルのブッシングへの取り付け作業は、図１（ａ）に示されるように、（Ａ）絶縁栓の取り外し工程→（Ｂ）接地用アダプタの取り付け工程→（Ｃ）接続導体の取り外し工程及び断路用絶縁スペーサの取り付け工程→（Ｄ）清掃時接地治具の取り付け工程及び課電用ケーブル接続口の清掃工程→（Ｅ）課電用ケーブルの取り付け工程の手順により行なわれる。各工程について下記に順に説明する。
【００２１】
（Ａ）絶縁栓の取り外し工程
図２に示される通り、ＧＩＳ（ガス絶縁開閉装置）のような密閉型の高電圧機器の下部壁面２０には、分岐形状を持つブッシング１０が気密に取り付けられている。このブッシング１０の構造は、特許文献１の図１等に記載されたものと同等である。ブッシング１０には、下方より給電用ケーブル３０が接続されている。機器側内部電極１４とケーブル側内部電極（内部遮へい金具）１５とは、接続導体５０を介して電気的に接続されている。また、右斜め下方に開口する課電用ケーブル接続口１３には絶縁栓６０が装着されている。
【００２２】
課電用ケーブルを取り付ける際には、まず、絶縁栓６０を課電用ケーブル接続口１３から取り外す。
【００２３】
（Ｂ）接地用アダプタの取り付け工程
課電用ケーブル接続口１３から絶縁栓６０を取り外した後、替わりに、図３に示すように、円筒形状部１０１の片側端に鍔１０２が設けられた接地用アダプタ１を装着する。
【００２４】
接地用アダプタ１は、円筒形状部１０１が課電用ケーブル接続口１３に挿入されて、その先端部がケーブル側内部電極（内部遮へい金具）１５に設けられた受容口の内面に電気的に接触している。また、後端部に設けられた鍔１０２の部分でブッシング本体１１にネジ１０３でネジ止めされ、かつ、接地用リード線１０４により接地が取られている。
【００２５】
（Ｃ）接続導体の取り外し工程及び断路用絶縁スペーサの取り付け工程
特許文献２に記載されたものと同一構造を有する棒状操作具７０を、接地用アダプタ１の円筒中空部を通して差し入れ、棒状操作具７０の先端を接続導体５０に嵌合させ、接地用アダプタ１の円筒中空部を通して接続導体５０を引き抜き、取り外す。
【００２６】
次いで、図４に示すように、棒状操作具７０に断路用絶縁スペーサ８０を嵌合した状態で、接地用アダプタ１の円筒中空部を通して差し入れ、接続導体５０が取り付けられていた位置に断路用絶縁スペーサ８０を取り付ける。取り付け後、断路用絶縁スペーサ８０との嵌合を解き、棒状操作具７０を引き出す。
【００２７】
これらの作業の間、ケーブル側内部電極（内部遮へい金具）１５は、接地用アダプタ１を介して接地が取られており、作業の安全が保たれる。
【００２８】
（Ｄ）清掃時接地治具の取り付け工程及び課電用ケーブル接続口の清掃工程
棒状操作具７０を引き出した後、課電用ケーブル接続口１３から接地用アダプタ１を取り外し、図５に示すように、替わりに先端にカップ状部２０１を有する細径棒状の清掃時接地治具２を装着する。
【００２９】
先端のカップ状部２０１は、その外周面がケーブル側内部電極（内部遮へい金具）１５に設けられた受容口の内面に電気的に接触している。また、細径棒状部２０２の後端には、接地用リード線２０３が取り付けられ接地が取られている。
【００３０】
この状態で、課電用ケーブル４０の端末を取り付ける前に課電用ケーブル接続口１３の外部界面１７より異物や汚れを取り除くために清掃作業を行なう。
【００３１】
清掃作業の間、ケーブル側内部電極（内部遮へい金具）１５は、清掃時接地治具２を介して接地が取られており、作業の安全が保たれる。
【００３２】
（Ｅ）課電用ケーブルの取り付け工程
清掃作業後、課電用ケーブル接続口１３より清掃時接地治具２を取り外し、図６に示すように、課電用ケーブル（リードケーブル）４０を取り付ける。
【００３３】
〔課電用ケーブルの取り外し方法〕
課電用ケーブルをブッシングから取り外す作業は、図１（ｂ）に示されるように、（Ｆ）課電用ケーブルの取り外し工程→（Ｇ）接地用アダプタの取り付け工程→（Ｈ）断路用絶縁スペーサの取り外し工程及び接続導体の取り付け工程→（Ｉ）清掃時接地治具の取り付け工程及び課電用ケーブル接続口の清掃工程→（Ｊ）絶縁栓の取り付け工程の手順により行なわれる。各工程について下記に順に説明する。
【００３４】
（Ｆ）課電用ケーブルの取り外し工程
課電用ケーブルを取り外す際には、まず、課電用ケーブル４０を課電用ケーブル接続口１３から取り外す。
【００３５】
（Ｇ）接地用アダプタの取り付け工程
課電用ケーブル接続口１３から課電用ケーブル４０を取り外した後、替わりに、円筒形状部１０１の片側端に鍔１０２が設けられた接地用アダプタ１を装着する。
【００３６】
接地用アダプタ１は、円筒形状部１０１が課電用ケーブル接続口１３に挿入されて、その先端部がケーブル側内部電極（内部遮へい金具）１５に設けられた受容口の内面に電気的に接触している。また、後端部に設けられた鍔１０２の部分でブッシング本体１１にネジ１０３でネジ止めされ、かつ、接地用リード線１０４により接地が取られている。
【００３７】
（Ｈ）断路用絶縁スペーサの取り外し工程及び接続導体の取り付け工程
特許文献２に記載されたものと同一構造を有する棒状操作具７０を、接地用アダプタ１の円筒中空部を通して差し入れ、棒状操作具７０の先端を断路用絶縁スペーサ８０に嵌合させ、接地用アダプタ１の円筒中空部を通して断路用絶縁スペーサ８０を引き抜き、取り外す。
【００３８】
次いで、棒状操作具７０に接続導体５０を嵌合した状態で、接地用アダプタ１の円筒中空部を通して差し入れ、断路用絶縁スペーサ８０が取り付けられていた位置に接続導体５０を取り付ける。取り付け後、接続導体５０との嵌合を解き、棒状操作具７０を引き出す。
【００３９】
これらの作業の間、ケーブル側内部電極（内部遮へい金具）１５は、接地用アダプタ１を介して接地が取られており、作業の安全が保たれる。
【００４０】
（Ｉ）清掃時接地治具の取り付け工程及び課電用ケーブル接続口の清掃工程
棒状操作具７０を引き出した後、課電用ケーブル接続口１３から接地用アダプタ１を取り外し、替わりに先端にカップ状部２０１を有する細径棒状の清掃時接地治具２を装着する。
【００４１】
先端のカップ状部２０１は、その外周面がケーブル側内部電極（内部遮へい金具）１５に設けられた受容口の内面に電気的に接触している。また、細径棒状部２０２の後端には、接地用リード線２０３が取り付けられ接地が取られている。
【００４２】
この状態で、絶縁栓６０を取り付ける前に課電用ケーブル接続口１３の外部界面１７より異物を取り除くために清掃作業を行なう。
【００４３】
清掃作業の間、ケーブル側内部電極（内部遮へい金具）１５は、清掃時接地治具２を介して接地が取られており、作業の安全が保たれる。
【００４４】
（Ｊ）絶縁栓の取り付け工程
清掃作業後、課電用ケーブル接続口１３より清掃時接地治具２を取り外し、図２に示すように、絶縁栓６０を取り付ける。
【００４５】
〔接地用アダプタ〕
図７は、本発明の実施の形態に係る接地用アダプタの斜視図である。
接地用アダプタ１は、ブッシング１０の課電用ケーブル接続口１３に挿入されてその先端部がケーブル側内部電極１５に電気的に接触する円筒形状部１０１と、円筒形状部１０１の後端部に設けられた鍔１０２とを有する。鍔１０２には、課電用ケーブル接続口１３の入口部分に鍔１０２をネジで固定するためのネジ孔１０２ａ、及び接地線を接続するための接地線接続孔１０２ｂが設けられている。接地線接続孔１０２ｂ（複数ある場合はいずれか）に接地用リード線を接続して接地を行なう。
【００４６】
接地用アダプタ１の材料としては、導電性材料であれば好適に用いることができる。
【００４７】
円筒形状部１０１の内径は、接続導体５０、断路用絶縁スペーサ８０、及び棒状操作具７０が抜き差しできるように、これらのうち一番大きい外径と同等以上でなければならない。また、円筒形状部１０１の外径は、課電用ケーブル接続口１３に挿入できる大きさであり、挿入した円筒形状部１０１の先端部はケーブル側内部電極１５と電気的に接触可能な外径、形状である必要がある。
【００４８】
〔清掃時接地治具〕
図８は、本発明の実施の形態に係る清掃時接地治具の斜視図である。
清掃時接地治具２は、ブッシング１０の課電用ケーブル接続口１３に挿入されてケーブル側内部電極１５に電気的に接触するカップ状部２０１と、その先端に当該カップ状部２０１を有する細径棒状部２０２とを有する。細径棒状部２０２の後端に接地用リード線を接続して接地を行なう。
【００４９】
清掃時接地治具２の材料としては、導電性材料であれば好適に用いることができる。
【００５０】
カップ状部２０１は、課電用ケーブル接続口１３に挿入できる大きさの外径であり、ケーブル側内部電極１５と電気的に接触可能な外径、形状である必要がある。カップ状部２０１は、常時接地の安全性を確保すべく、図５に示されるように、ケーブル側内部電極１５と断路用絶縁スペーサ８０（又は接続導体５０）との間に嵌合される形状であることが望ましい。また、外部界面１７の清掃の障害とならないような高さ、具体的には、１ｃｍ〜４ｃｍ程度であることが望ましい。
【００５１】
細径棒状部２０２は、外部界面１７の清掃の障害とならないような太さ、具体的には、外径０．８ｃｍ〜２．０ｃｍ程度であることが望ましい。また、長さは、２０ｃｍ〜４０ｃｍ程度であることが望ましい。
【００５２】
〔本発明の実施の形態の効果〕
本発明の実施の形態によれば、課電用ケーブルの取り付け及び取り外し作業における所定作業（特に、接続導体と断路用絶縁スペーサの交換作業及び外部界面の清掃作業）の間、常時、ケーブル側内部電極の接地を可能とし、安全に作業を行える。
【００５３】
〔他の実施の形態〕
本発明は、上記実施の形態に限定されず、その要旨を変更しない範囲内で種々な変形が可能である。例えば、カップ状部２０１は、円筒状部であってもよい。また、特許文献１の図１に記載のブッシングを例に説明したが、特許文献１の図２に記載のブッシング（Ｔ型）等に対しても同様に本発明を適用できる。
【図面の簡単な説明】
【００５４】
【図１】（ａ）が課電用ケーブルの取り付け作業手順の概略、（ｂ）が課電用ケーブルの取り外し作業手順の概略を示す図である。
【図２】通常運転時のブッシングの状態を示す縦断面図である。
【図３】接地用アダプタ装着時のブッシングの状態を示す縦断面図である。
【図４】接続部材交換時のブッシングの状態を示す縦断面図である。
【図５】清掃時接地治具装着時のブッシングの状態を示す縦断面図である。
【図６】課電用ケーブル装着時のブッシングの状態を示す縦断面図である。
【図７】本発明の実施の形態に係る接地用アダプタの斜視図である。
【図８】本発明の実施の形態に係る清掃時接地治具の斜視図である。
【符号の説明】
【００５５】
１：接地用アダプタ
１０１：円筒形状部、１０２：鍔
１０２ａ：ネジ孔、１０２ｂ：接地線接続孔
１０３：ネジ、１０４：接地用リード線
２：清掃時接地治具
２０１：カップ状部、２０２：細径棒状部、２０３：接地用リード線
１０：ブッシング、１１：ブッシング本体
１２：給電用ケーブル接続口、１３：課電用ケーブル接続口
１４：機器側内部電極、１５：ケーブル側内部電極
１６：内部界面、１７：外部界面
２０：下部壁面
３０：給電用ケーブル、４０：課電用ケーブル
５０：接続導体、６０：絶縁栓
７０：棒状操作具
８０：断路用絶縁スペーサ
【図１】
0005169387.tif 000002
【図２】
0005169387.tif 000003
【図３】
0005169387.tif 000004
【図４】
0005169387.tif 000005
【図５】
0005169387.tif 000006
【図６】
0005169387.tif 000007
【図７】
0005169387.tif 000008
【図８】
0005169387.tif 000009